(57)【要約】【課題】  本発明の課題は、ショーケース１０とその監視装置などとの通信接続の確立が極めて困難であって庫内温度情報や庫内設定温度情報などをそのショーケース１０から直接取得できない場合であっても、庫内温度情報および庫内設定温度情報などを利用したショーケース１０の運転状態監視を可能とさせるショーケースの庫内設定温度推定装置４０、庫内設定温度推定プログラム４１および庫内設定温度推定方法を提供することにある。【解決手段】  ショーケースの庫内設定温度推定装置４０は、ショーケース１０の庫内設定温度を推定するショーケースの庫内設定温度推定装置４０であって、庫内温度情報取得手段１２，１５，４３および推定手段４１，４５を備える。庫内温度情報取得手段１２，１５，４３は、ショーケース１０の庫内温度情報を取得する。推定手段４１，４５は、庫内温度情報を利用して庫内設定温度を推定する。【選択図】  図１
2005042986.tif 000002
【特許請求の範囲】
【請求項１】
ショーケース（１０）の庫内設定温度を推定するショーケースの庫内設定温度推定装置（４０）であって、
前記ショーケース（１０）の庫内温度情報を取得する庫内温度情報取得手段（１２，１５，４３）と、
前記庫内温度情報を利用して前記庫内設定温度を推定する推定手段（４１，４５）と、
を備える、ショーケースの庫内設定温度推定装置（４０）。
【請求項２】
前記ショーケース（１０）において行われるデフロストの実行時間の情報を取得するデフロスト実行時間情報取得手段（１５，２２，４３）をさらに備え、
前記推定手段（４１，４５）は、前記庫内温度情報と前記デフロストの実行時間の情報とを利用して前記庫内設定温度を推定する、
請求項１に記載のショーケースの庫内設定温度推定装置（４０）。
【請求項３】
所定の条件に基づいて前記ショーケース（１０）の運転状態が正常であるか否かを判定する判定手段（４１，４５）をさらに備え、
前記推定手段（４１，４５）は、判定手段（４１，４５）において前記運転状態が正常であると判定された場合に前記庫内設定温度を推定する、
請求項１または２に記載のショーケースの庫内設定温度推定装置（４０）。
【請求項４】
前記所定の条件は、前記庫内温度情報または前記庫内温度情報の代表値が所定期間閾値内にあるか否かである、
請求項３に記載のショーケースの庫内設定温度推定装置（４０）。
【請求項５】
前記所定の条件は、前記庫内温度情報または前記庫内温度情報の代表値の時間に対する勾配である、
請求項３に記載のショーケースの庫内設定温度推定装置（４０）。
【請求項６】
前記ショーケース（１０）の冷凍機の発停信号を受信する受信手段をさらに備え、
前記所定の条件は、単位時間当たりの前記発停信号の頻度である、
請求項３に記載のショーケースの庫内設定温度推定装置（４０）。
【請求項７】
前記所定の条件は、前記ショーケース（１０）の運転環境に従って変動する、
請求項３から６のいずれかに記載のショーケースの庫内設定温度推定装置（４０）。
【請求項８】
前記ショーケース（１０）の遠方に設けられる、
請求項１から７のいずれかに記載のショーケースの庫内設定温度推定装置（４０）。
【請求項９】
ショーケース（１０）の庫内設定温度を推定するショーケースの庫内設定温度推定プログラム（４１）であって、
前記ショーケース（１０）の庫内温度情報を取得する庫内温度情報取得ステップと、
前記庫内温度情報を利用して前記庫内設定温度を推定する推定ステップと、
を備える、ショーケースの庫内設定温度推定プログラム（４１）。
【請求項１０】
ショーケース（１０）の庫内設定温度を推定するショーケースの庫内設定温度推定方法であって、
前記ショーケース（１０）の庫内温度情報を取得する庫内温度情報取得ステップと、
前記庫内温度情報を利用して前記庫内設定温度を推定する推定ステップと、
を備える、ショーケースの庫内設定温度推定方法。
【発明の詳細な説明】
【技術分野】
【０００１】
本発明は、例えば、商業的な理由などからショーケースと監視装置などとの通信接続の確立が極めて困難であってショーケースから直接的に庫内設定温度情報を取得できない場合において、そのショーケースの庫内設定温度を推定することができるショーケースの庫内設定温度推定装置、庫内設定温度推定プログラムおよび庫内設定温度推定方法に関する。
【背景技術】
【０００２】
従来から、庫内温度情報および庫内設定温度情報などを利用してショーケースの運転状態を監視する手法がよく知られている（例えば、特許文献１参照。）。
【特許文献１】特開平８−６１８１４号公報（第３−６項、図１および図３）
【発明の開示】
【発明が解決しようとする課題】
【０００３】
しかし、現時点でこのようなショーケースの監視手法を店舗に導入しようとすれば、既存のショーケースを廃棄し新たにこのような監視手法に対応したショーケースシステムなどを購入せざるを得ないのが実情であると思われる。なぜなら、現状、店舗には様々なメーカおよび様々な年代のショーケースが設置されていることが多く、それらのショーケースと監視装置などとの通信接続を確立するのに相当な困難が伴うケースが大半であると推察されるからである。一般に、機器間の通信接続を確立する場合にはそれらの機器に適した通信線や適切な通信プロトコルなどを選択する必要があるが、実際のところ通信線やその接続口の規格、通信プロトコルなどは商業的理由からそのメーカ独自のものが少なくなく、またメーカが同一であったとしてもその年代が異なれば規格が異なることが多いというのがその推察の理由である。
【０００４】
本発明の課題は、ショーケースとその監視装置などとの通信接続の確立が極めて困難であって庫内温度情報や庫内設定温度情報などをそのショーケースから直接取得できない場合であっても、庫内温度情報および庫内設定温度情報などを利用したショーケースの運転状態監視を可能とさせるショーケースの庫内設定温度推定装置、庫内設定温度推定プログラムおよび庫内設定温度推定方法を提供することにある。
【課題を解決するための手段】
【０００５】
請求項１に記載のショーケースの庫内設定温度推定装置は、ショーケースの庫内設定温度を推定するショーケースの庫内設定温度推定装置であって、庫内温度情報取得手段および推定手段を備える。庫内温度情報取得手段は、ショーケースの庫内温度情報を取得する。推定手段は、庫内温度情報を利用して庫内設定温度を推定する。
ここでは、庫内温度情報取得手段が、ショーケースの庫内温度情報を取得する。そして、推定手段が、庫内温度情報を利用して庫内設定温度を推定する。このため、ショーケースとその監視装置などとの通信接続の確立が極めて困難であって庫内温度情報や庫内設定温度情報などをそのショーケースから直接取得できない場合であっても、庫内温度情報および庫内設定温度情報などを利用したショーケースの運転状態監視を可能とさせることができる。
【０００６】
請求項２に記載のショーケースの庫内設定温度推定装置は、請求項１に記載のショーケースの庫内設定温度推定装置であって、デフロスト実行時間情報取得手段をさらに備える。デフロスト実行時間取得手段は、ショーケースにおいて行われるデフロストの実行時間の情報を取得する。また、推定手段は、庫内温度情報とデフロストの実行時間の情報とを利用して庫内設定温度を推定する。
【０００７】
ここでは、デフロスト実行時間情報取得手段が、ショーケースにおいて行われるデフロストの実行時間の情報を取得する。そして、推定手段が、庫内温度情報とデフロストの実行時間の情報とを利用して庫内設定温度を推定する。このため、ショーケースにおいてデフロスト運転が行われる場合であっても、デフロスト実行時間に当たる部分の庫内温度を除外するなどして庫内設定温度を推定することができる。したがって、適切な庫内設定温度の推定を行うことが可能となる。
【０００８】
請求項３に記載のショーケースの庫内設定温度推定装置は、請求項１または２に記載のショーケースの庫内設定温度推定装置であって、判定手段をさらに備える。判定手段は、所定の条件に基づいてショーケースの運転状態が正常であるか否かを判定する。また、推定手段は、判定手段において運転状態が正常であると判定された場合に庫内設定温度を推定する。
【０００９】
ショーケースが正常に運転している場合、その庫内温度は庫内設定温度にほぼ等しいとみなしてもよいと考えられる。一方、ショーケースが正常に運転していない場合にその庫内温度を庫内設定温度にほぼ等しいとすると、ショーケースの運転状態監視に支障を来すことになる。しかし、ここでは、判定手段が、所定の条件に基づいてショーケースの運転状態が正常であるか否かを判定する。そして、推定手段が、判定手段において運転状態が正常であると判定された場合に庫内設定温度を推定する。このため、ショーケースの運転状態監視に支障を来すおそれを排除することができる。
【００１０】
請求項４に記載のショーケースの庫内設定温度推定装置は、請求項３に記載のショーケースの庫内設定温度推定装置であって、所定の条件は、庫内温度情報または庫内温度情報の代表値が所定期間閾値内にあるか否かである。なお、ここにいう「庫内温度の代表値」とは、最大値や移動平均値などである。
ここでは、ショーケースの運転状態が正常であるか否かを簡便に判定することができる。
【００１１】
請求項５に記載のショーケースの庫内設定温度推定装置は、請求項３に記載のショーケースの庫内設定温度推定装置であって、所定の条件は、庫内温度情報または庫内温度情報の代表値の時間に対する勾配である。
ショーケースの庫内温度は、通常一定に保たれている。しかし、ショーケースの庫内を冷却する冷凍装置の一部に霜の層が形成されある程度の厚みに達すると、その冷凍装置の冷却能力が低下する。つまり、庫内温度は徐々に上昇し始める。このような運転状態にあるショーケース庫内の温度を庫内設定温度とすると、ショーケースの運転状態監視に支障を来すことになる。しかし、ここでは、そのような現象を把握することができる。つまり、庫内温度の時間推移にある一定の勾配が見られる場合にショーケースの運転状態が正常でないと判定することができる。したがって、ショーケースの運転状態監視に支障を来すおそれを排除することができる。
【００１２】
請求項６に記載のショーケースの庫内設定温度推定装置は、請求項３に記載のショーケースの庫内設定温度推定装置であって、受信手段をさらに備える。受信手段は、ショーケースの冷凍機の発停信号を受信する。また、所定の条件は、単位時間当たりの前記発停信号の頻度である。
ショーケースと監視装置などとの通信接続の確立が極めて困難な場合であってもショーケースの冷凍機の発停信号は比較的容易に取得することができる場合がある。通常、ショーケースの庫内温度は、冷凍機の絶え間ない発停によって一定に保たれている。つまり、ここでは、冷凍機の発停の程度を考慮すれば、ショーケースの運転状態が正常であるか否かを判定することができる。したがって、ショーケースの運転状態監視に支障を来すおそれを排除することができる。
【００１３】
請求項７に記載のショーケースの庫内設定温度推定装置は、請求項３から６のいずれかに記載のショーケースの庫内設定温度推定装置であって、所定の条件は、ショーケースの運転環境に従って変動する。なお、ここにいう「運転環境」とは、室外温度や室内温度などである。
ここでは、ショーケースの運転状態が正常であるか否かの判定の精度を向上することができる。
【００１４】
請求項８に記載のショーケースの庫内設定温度推定装置は、請求項１から７のいずれかに記載のショーケースの庫内設定温度推定装置であって、ショーケースの遠方に設けられる。
ここでは、ショーケースの庫内設定温度推定サービスを広範に行うことができる。
請求項９に記載のショーケースの庫内設定温度推定プログラムは、ショーケースの庫内設定温度を推定するショーケースの庫内設定温度推定プログラムであって、庫内温度情報取得ステップおよび推定ステップを備える。庫内温度情報取得ステップでは、ショーケースの庫内温度情報が取得される。推定ステップでは、庫内温度情報が利用されて庫内設定温度が推定される。
【００１５】
ここでは、この庫内設定温度推定プログラムが実行されると、庫内温度情報取得ステップで、ショーケースの庫内温度情報が取得される。そして、推定ステップで、庫内温度情報が利用されて庫内設定温度が推定される。このため、ショーケースとその監視装置などとの通信接続の確立が極めて困難であって庫内温度情報や庫内設定温度情報などをそのショーケースから直接取得できない場合であっても、庫内温度情報および庫内設定温度情報などを利用したショーケースの運転状態監視を可能とさせることができる。
【００１６】
請求項１０に記載のショーケースの庫内設定温度推定方法は、ショーケースの庫内設定温度を推定するショーケースの庫内設定温度推定方法であって、庫内温度情報取得ステップおよび推定ステップを備える。庫内温度情報取得ステップでは、ショーケースの庫内温度情報が取得される。推定ステップでは、庫内温度情報が利用されて庫内設定温度が推定される。
【００１７】
ここでは、この庫内設定温度推定方法が実施されると、庫内温度情報取得ステップで、ショーケースの庫内温度情報が取得される。そして、推定ステップで、庫内温度情報が利用されて庫内設定温度が推定される。このため、ショーケースとその監視装置などとの通信接続の確立が極めて困難であって庫内温度情報や庫内設定温度情報などをそのショーケースから直接取得できない場合であっても、庫内温度情報および庫内設定温度情報などを利用したショーケースの運転状態監視を可能とさせることができる。
【発明の効果】
【００１８】
請求項１に係るショーケースの庫内設定温度推定装置では、ショーケースとその監視装置などとの通信接続の確立が極めて困難であって庫内温度情報や庫内設定温度情報などをそのショーケースから直接取得できない場合であっても、庫内温度情報および庫内設定温度情報などを利用したショーケースの運転状態監視を可能とさせることができる。
請求項２に係るショーケースの庫内設定温度推定装置では、ショーケースにおいてデフロスト運転が行われる場合であっても、デフロスト実行時間に当たる部分の庫内温度を除外するなどして庫内設定温度を推定することができる。したがって、適切な庫内設定温度の推定を行うことが可能となる。
【００１９】
請求項３に係るショーケースの庫内設定温度推定装置では、判定手段が、所定の条件に基づいてショーケースの運転状態が正常であるか否かを判定する。そして、推定手段が、判定手段において運転状態が正常であると判定された場合に庫内設定温度を推定する。このため、ショーケースの運転状態監視に支障を来すおそれを排除することができる。
請求項４に係るショーケースの庫内設定温度推定装置では、ショーケースの運転状態が正常であるか否かを簡便に判定することができる。
【００２０】
請求項５に係るショーケースの庫内設定温度推定装置では、庫内温度の時間推移にある一定の勾配が見られる場合にショーケースの運転状態が正常でないと判定することができる。したがって、ショーケースの運転状態監視に支障を来すおそれを排除することができる。
請求項６に係るショーケースの庫内設定温度推定装置では、冷凍機の発停の程度を考慮すれば、ショーケースの運転状態が正常であるか否かを判定することができる。したがって、ショーケースの運転状態監視に支障を来すおそれを排除することができる。
【００２１】
請求項７に係るショーケースの庫内設定温度推定装置では、ショーケースの運転状態が正常であるか否かの判定の精度を向上することができる。
請求項８に係るショーケースの庫内設定温度推定装置では、ショーケースの庫内設定温度推定サービスを広範に行うことができる。
請求項９に係るショーケースの庫内設定温度推定プログラムが実行されると、ショーケースとその監視装置などとの通信接続の確立が極めて困難であって庫内温度情報や庫内設定温度情報などをそのショーケースから直接取得できない場合であっても、庫内温度情報および庫内設定温度情報などを利用したショーケースの運転状態監視を可能とさせることができる。
【００２２】
請求項１０に係るショーケースの庫内設定温度推定方法が実施されると、ショーケースとその監視装置などとの通信接続の確立が極めて困難であって庫内温度情報や庫内設定温度情報などをそのショーケースから直接取得できない場合であっても、庫内温度情報および庫内設定温度情報などを利用したショーケースの運転状態監視を可能とさせることができる。
【発明を実施するための最良の形態】
【００２３】
＜ショーケース監視システムのシステム構成＞
図１には、ショーケース監視システム１００のブロック図を示す。本ショーケース監視システム１００は、温度センサ１２、接点センサ２２、インターフェイス１５（以下、Ｉ／Ｆと略する。）、モデム３０および監視コンピュータ４０から構成される。なお、温度センサ１２は、ショーケース１０の庫内に取り付けられる。また、接点センサ２２は、デフロスト制御装置２０の接点に取り付けられる。Ｉ／Ｆ１５およびモデム３０は、店舗６１，６３に配置される。一方、監視コンピュータ４０は、監視センター７０に配置される。なお、この監視センター７０は、店舗６１，６３の遠方に設けられている。
【００２４】
＜ショーケース監視システムの監視対象ならびに接続対象＞
（１）ショーケース１０
ショーケース１０は、ショーケース監視システム１００の監視対象である。なお、このショーケース１０の熱交換器（図示せず）付近にはデフロストヒータ２１が設けられており、デフロスト制御装置２０によりデフロスト運転が実行されている。また、前述したように、このショーケース１０の庫内には、温度センサ１２が取り付けられる。
【００２５】
（２）デフロスト制御装置２０
デフロスト制御装置２０は、タイマーを内蔵しており、そのタイマーの設定時間にデフロストヒータ２１の接点がＯＮになるように設計されている。なお、前述したように、このデフロスト制御装置２０の接点には、接点センサ２２が取り付けられる。
＜ショーケース監視システム１００のシステム構成要素＞
（１）温度センサ１２
温度センサ１２は、ショーケース１０の庫内に取り付けられ、その庫内の温度に基づいた電気信号を生成する。
【００２６】
（２）接点センサ２２
接点センサ２２は、デフロスト制御装置２０の接点に取り付けられ、デフロストヒータ２１のＯＮ／ＯＦＦ情報に基づいた電気信号を生成する。
（３）Ｉ／Ｆ１５
Ｉ／Ｆ１５は、温度センサ１２および接点センサ２２から送信される電気信号を、監視コンピュータ４０が読取可能な情報形式に変換する。また、このＩ／Ｆ１５は、その測定値情報およびＯＮ／ＯＦＦ情報に自身のＩＤ情報や取得時刻情報などを付加する。
【００２７】
（４）モデム３０
モデム３０は、Ｉ／Ｆ１５から送信される情報群（測定値情報、ＯＮ／ＯＦＦ情報、Ｉ／ＦのＩＤ情報および取得時刻情報など）を、公衆電話回線５０を介して監視コンピュータ４０に送信する。
（５）監視コンピュータ４０
監視コンピュータ４０は、モデム４３、ＣＰＵ４５およびハードディスク４７を備える。モデム４３は、店舗６１，６３に配備されるモデム３０から送信される情報群を受信する。ハードディスク４７には、監視プログラム４１およびデータベース４８が保持されている。監視プログラム４１には、情報群を受信した場合にそれらを所定の規則に従ってデータベース４８に格納する命令、ショーケース１０の庫内設定温度を推定する命令および推定された庫内設定温度に基づいてショーケース１０の運転状態に異常がないかを確認する命令などが記述されている。ＣＰＵ４５は、監視プログラム４１に記述される命令を実行する。
【００２８】
＜ショーケース監視システム１００の接続形態＞
温度センサ１２および接点センサ２２は、Ｉ／Ｆ１５に接続される。Ｉ／Ｆ１５は、モデム３０に接続される。モデム３０は、監視コンピュータ４０に内蔵されるモデム４３に公衆電話回線５０を介して接続される。
＜庫内設定温度の推定までの流れ＞
図２には、庫内設定温度の推定までの流れを表すフローチャートを示す。
【００２９】
図２において、ステップＳ１１では、ＣＰＵ４５が、監視プログラム４１に従ってデータベース４８に蓄積される所定期間の全庫内温度データからデフロストヒータ２１のＯＮ情報が取得された時刻に当たる庫内温度データを除去する。ステップＳ１２では、ＣＰＵ４５が、監視プログラム４１に従ってステップＳ１１において残った庫内温度データの移動平均Ａｔを算出する。ステップＳ１３では、ＣＰＵ４５が、監視プログラム４１に従って所定期間の移動平均Ａｔの勾配ΔＴを算出する。ステップＳ１４では、ＣＰＵ４５が、監視プログラム４１に従ってΔＴが閾値ΔＴｓよりも小さいかを確認する。ステップＳ１４の確認の結果、ΔＴが閾値ΔＴｓよりも小さい場合は、ステップＳ１５に移る。ステップＳ１４の確認の結果、ΔＴが閾値ΔＴｓ以上である場合は、ステップＳ１１に戻る。ステップＳ１５では、ＣＰＵ４５が、監視プログラム４１に従って移動平均Ａｔが所定期間一定かを確認する。ステップＳ１５の確認の結果、移動平均Ａｔが所定期間一定であれば、ステップＳ１６に移る。ステップＳ１５の確認の結果、移動平均Ａｔが所定期間一定でなければ、ステップＳ１１に戻る。ステップＳ１６では、ＣＰＵ４５が、監視プログラム４１に従ってＡｔを庫内設定温度とする。
【００３０】
＜ショーケース監視システム１００によるショーケース１０の監視＞
本ショーケース監視システム１００では、上記において推定された庫内設定温度に基づいてショーケース１０の運転状態を監視する。例えば、ショーケース１０の庫内温度が所定時間、庫内設定温度＋１０℃よりも大きいままであると、そのショーケース１０に異常が生じたと判断し、サービスエンジニアに現地に出動するように促すなどのことを行う。
【００３１】
＜ショーケース監視システム１００の特徴＞
（１）
本ショーケース監視システム１００では、温度センサ１２によりショーケース１０の庫内温度が測定される。そして、ＣＰＵ４５が、監視プログラム４１に従って庫内温度から庫内設定温度を推定する。このため、ショーケース１０と監視装置などとの通信接続の確立が極めて困難であって庫内温度や庫内設定温度などをそのショーケース１０から直接取得できない場合であっても、庫内温度および庫内設定温度などを利用したショーケース１０の運転状態監視を可能とさせることができる。
【００３２】
（２）
本ショーケース監視システム１００では、接点センサ２２によりデフロストヒータ２１のＯＮ／ＯＦＦ信号が検知される。また、Ｉ／Ｆ１５において変換されたＯＮ／ＯＦＦ情報にその取得時刻が付加される。そして、ＣＰＵ４５が、監視プログラム４１に従って庫内温度データとその取得時間とを利用してショーケース１０の庫内設定温度を決定する。このため、ショーケース１０においてデフロスト運転が行われる場合であっても、デフロスト実行時間に当たる部分の庫内温度データを除外するなどして庫内設定温度を推定することができる。したがって、適切な庫内設定温度の推定を行うことが可能となる。
【００３３】
（３）
ショーケース１０が正常に運転している場合、その庫内温度は庫内設定温度にほぼ等しいとみなしてもよいと考えられる。一方、ショーケースが正常に運転していない場合にその庫内温度を庫内設定温度にほぼ等しいとすると、ショーケースの運転状態監視に支障を来すことになる。しかし、本ショーケース監視システム１００では、ＣＰＵ４５が、監視プログラム４１に従ってショーケース１０の運転状態が正常であるか否かを判定し、運転状態が正常であると判定された場合に庫内設定温度を決定する。このため、ショーケース１０の運転状態監視に支障を来すおそれを排除することができる。
【００３４】
（４）
本ショーケース監視システム１００では、所定期間の庫内温度データが所定期間一定であるかが確認される。このため、ショーケース１０の運転状態が正常であるか否かを簡便に判定することができる。
（５）
ショーケース１０の庫内温度は、通常一定に保たれている。しかし、ショーケース１０の庫内を冷却する冷凍装置の一部（例えば、熱交換器など）に霜の層が形成されある程度の厚みに達すると、その冷凍装置の冷却能力が低下する。つまり、庫内温度は徐々に上昇し始める。このような運転状態にあるショーケース１０の庫内温度を庫内設定温度とすると、ショーケース１０の運転状態監視に支障を来すことになる。しかし、本ショーケース監視システム１００では、移動平均Ａｔの温度勾配ΔＴが閾値ΔＴｓ以上である場合にショーケース１０の運転状態が正常でないと判定する。したがって、ショーケース１０の運転状態監視に支障を来すおそれを排除することができる。
【００３５】
（６）
本ショーケース監視システム１００では、監視コンピュータ４０がショーケース１０の遠方に配備される。このため、ショーケース１０の庫内設定温度推定サービスを広範に行うことができる。
＜変形例＞
（１）
先の実施の形態に係るショーケース監視システム１００では、監視コンピュータ４０が店舗６１，６３の遠隔地にある監視センター７０に配置されたが、監視コンピュータ４０は、各店舗６１，６３に配備されてもよい。このようにすれば、ショーケース１０のローカル監視を実現することができる。なお、この場合、Ｉ／Ｆ１５を直接、監視コンピュータ４０に接続することができる。
【００３６】
（２）
先の実施の形態に係るショーケース監視システム１００では、ステップＳ１４とステップＳ１５とにおいてショーケース１０の運転状態が正常であるか否かを判定したが、ショーケース１０の冷凍装置の発停信号を比較的容易に取得することができる場合は、これに加えて、ステップＳ１３以降ステップＳ１６までのいずれかの処理の間に、単位時間当たりの冷凍機のＯＮ／ＯＦＦ回数を利用した正常判定処理を行ってもよい。
【００３７】
（３）
先の実施の形態に係るショーケース監視システム１００では、ステップＳ１４とステップＳ１５とにおいてショーケース１０の運転状態が正常であるか否かを判定したが、これに加えて、ステップＳ１３以降ステップＳ１６までのいずれかの処理の間に、単位時間当たりの庫内温度の上昇下降回数を利用した正常判定処理を行ってもよい。
【００３８】
（４）
先の実施の形態に係るショーケース監視システム１００では、ステップＳ１４で閾値ΔＴｓに基づいてショーケース１０の運転状態が正常であるか否かを判定したが、この閾値ΔＴｓが店舗６１，６３の環境に応じて変動するようにしておいてもよい。このようにすれば、ショーケース１０の運転状態が正常であるか否かの判定の精度を向上することができる。
【産業上の利用可能性】
【００３９】
本発明に係るショーケースの庫内設定温度推定装置、庫内設定温度推定プログラムおよび庫内設定温度推定方法を利用すれば、商業的な理由などからショーケースと監視装置などとの通信接続の確立が極めて困難な場合であって庫内温度や庫内設定温度がそのショーケースから直接取得できなくても、庫内温度および庫内設定温度などを利用したショーケースの監視などを実現することができる。
【図面の簡単な説明】
【００４０】
【図１】ショーケース監視システム１００を示すブロック図。
【図２】庫内設定温度の推定の流れを表すフローチャート。
【符号の説明】
【００４１】
１０            ショーケース
１２            温度センサ
１５            インターフェイス（Ｉ／Ｆ）
２０            デフロスト制御装置
２１            デフロストヒータ
２２            接点センサ
３０，４３      モデム
４０            監視コンピュータ
４１            監視プログラム
４５            ＣＰＵ
４７            ハードディスク
４８            データベース
５０            公衆電話回線
６１，６３      店舗
７０            監視センター
１００            ショーケース監視システム
【図１】
2005042986.tif 000003
【図２】
2005042986.tif 000004